【手続補正書】
【提出日】平成17年1月27日(2005.1.27)
【手続補正１】
【補正対象書類名】明細書
【補正対象項目名】発明の名称
【補正方法】変更
【補正の内容】
【発明の名称】通信装置
【手続補正２】
【補正対象書類名】明細書
【補正対象項目名】特許請求の範囲
【補正方法】変更
【補正の内容】
【特許請求の範囲】
【請求項１】
第１の転送モードと、前記第１の転送モードと異なる第２の転送モードとを有する通信手段と、
画像データを処理する画像処理手段とを有する通信装置であって、
前記通信装置はさらに、
前記通信装置を制御する制御手段と、
前記画像処理手段と前記通信手段との間にあり、前記第１の転送モードによって送信される画像データを前記通信手段に供給し、前記第１の転送モードによって受信した画像データを前記画像処理手段に供給する第１の内部バスと、
前記制御手段と前記通信手段との間にあり、前記第２の転送モードによって送信されるデータを前記通信手段に供給し、前記第２の転送モードによって受信したデータを前記制御手段に供給する第２の内部バスとを有し、
前記第１の転送モードは、アイソクロナス（Isochronous）転送モードであることを特徴とする通信装置。
【請求項２】
第１の転送モードと、前記第１の転送モードと異なる第２の転送モードとを有する通信手段と、
画像データを生成する画像生成手段と、
画像データを処理する画像処理手段とを有する通信装置であって、
前記通信装置はさらに、
前記通信装置を制御する制御手段と、
前記画像生成手段及び前記画像処理手段と前記通信手段との間にあり、前記第１の転送モードによって送信される画像データを前記通信手段に供給し、前記第１の転送モードによって受信した画像データを前記画像処理手段に供給する第１の内部バスと、
前記制御手段と前記通信手段との間にあり、前記第２の転送モードによって送信されるデータを前記通信手段に供給し、前記第２の転送モードによって受信したデータを前記制御手段に供給する第２の内部バスとを有し、
前記第１の転送モードは、アイソクロナス（Isochronous）転送モードであることを特徴とする通信装置。
【請求項３】
第１の転送モードと、前記第１の転送モードと異なる第２の転送モードとを有する通信手段と、
画像データを記録又は再生する記録再生手段とを有する通信装置であって、
前記通信装置はさらに、
前記通信装置を制御する制御手段と、
前記記録再生手段と前記通信手段との間にあり、前記第１の転送モードによって送信される画像データを前記通信手段に供給し、前記第１の転送モードによって受信した画像データを前記記録再生手段に供給する第１の内部バスと、
前記制御手段と前記通信手段との間にあり、前記第２の転送モードによって送信されるデータを前記通信手段に供給し、前記第２の転送モードによって受信したデータを前記制御手段に供給する第２の内部バスとを有し、
前記第１の転送モードは、アイソクロナス（Isochronous）転送モードであることを特徴とする通信装置。
【請求項４】
第１の転送モードと、前記第１の転送モードと異なる第２の転送モードとを有する通信手段と、
画像データを出力するチューナと、
画像データを処理する画像処理手段とを有する通信装置であって、
前記通信装置はさらに、
前記通信装置を制御する制御手段と、
前記チューナ及び前記画像処理手段と前記通信手段との間にあり、前記第１の転送モードによって送信される画像データを前記通信手段に供給し、前記第１の転送モードによって受信した画像データを前記画像処理手段に供給する第１の内部バスと、
前記制御手段と前記通信手段との間にあり、前記第２の転送モードによって送信されるデータを前記通信手段に供給し、前記第２の転送モードによって受信したデータを前記制御手段に供給する第２の内部バスとを有し、
前記第１の転送モードは、アイソクロナス（Isochronous）転送モードであることを特徴とする通信装置。
【請求項５】
第１の転送モードと、前記第１の転送モードと異なる第２の転送モードとを有する通信手段と、
画像データを出力するチューナと、
画像データを記録する記録手段とを有する通信装置であって、
前記通信装置はさらに、
前記通信装置を制御する制御手段と、
前記チューナ及び前記記録手段と前記通信手段との間にあり、前記第１の転送モードによって送信される画像データを前記通信手段に供給し、前記第１の転送モードによって受信した画像データを前記記録手段に供給する第１の内部バスと、
前記制御手段と前記通信手段との間にあり、前記第２の転送モードによって送信されるデータを前記通信手段に供給し、前記第２の転送モードによって受信したデータを前記制御手段に供給する第２の内部バスとを有し、
前記第１の転送モードは、アイソクロナス（Isochronous）転送モードであることを特徴とする通信装置。
【請求項６】
前記第２の転送モードは、アシンクロナス（Asynchronous）転送モードであることを特徴とする請求項１乃至５の何れかに記載の通信装置。
【請求項７】
前記通信手段は、ＩＥＥＥ１３９４−１９９５規格に準拠することを特徴とする請求項１乃至６の何れかに記載の通信装置。
【手続補正３】
【補正対象書類名】明細書
【補正対象項目名】０００１
【補正方法】変更
【補正の内容】
【０００１】
【発明の属する技術分野】
本発明は、通信装置に関する。
【手続補正４】
【補正対象書類名】明細書
【補正対象項目名】００１５
【補正方法】変更
【補正の内容】
【００１５】
そこで、本発明は、システムバスのトラヒックを軽減し、外部のネットワークと滞りのないデータ通信を実現できるようにすることを目的とする。
【手続補正５】
【補正対象書類名】明細書
【補正対象項目名】００１６
【補正方法】変更
【補正の内容】
【００１６】
【課題を解決するための手段】
本発明に係る通信装置の一つは、第１の転送モードと、前記第１の転送モードと異なる第２の転送モードとを有する通信手段と、画像データを処理する画像処理手段とを有する通信装置であって、前記通信装置はさらに、前記通信装置を制御する制御手段と、前記画像処理手段と前記通信手段との間にあり、前記第１の転送モードによって送信される画像データを前記通信手段に供給し、前記第１の転送モードによって受信した画像データを前記画像処理手段に供給する第１の内部バスと、前記制御手段と前記通信手段との間にあり、前記第２の転送モードによって送信されるデータを前記通信手段に供給し、前記第２の転送モードによって受信したデータを前記制御手段に供給する第２の内部バスとを有し、前記第１の転送モードは、アイソクロナス（Isochronous）転送モードであることを特徴とする。
【手続補正６】
【補正対象書類名】明細書
【補正対象項目名】００１７
【補正方法】変更
【補正の内容】
【００１７】
本発明に係る通信装置の一つは、第１の転送モードと、前記第１の転送モードと異なる第２の転送モードとを有する通信手段と、画像データを生成する画像生成手段と、画像データを処理する画像処理手段とを有する通信装置であって、前記通信装置はさらに、前記通信装置を制御する制御手段と、前記画像生成手段及び前記画像処理手段と前記通信手段との間にあり、前記第１の転送モードによって送信される画像データを前記通信手段に供給し、前記第１の転送モードによって受信した画像データを前記画像処理手段に供給する第１の内部バスと、前記制御手段と前記通信手段との間にあり、前記第２の転送モードによって送信されるデータを前記通信手段に供給し、前記第２の転送モードによって受信したデータを前記制御手段に供給する第２の内部バスとを有し、前記第１の転送モードは、アイソクロナス（Isochronous）転送モードであることを特徴とする。
【手続補正７】
【補正対象書類名】明細書
【補正対象項目名】００１８
【補正方法】変更
【補正の内容】
【００１８】
本発明に係る通信装置の一つは、第１の転送モードと、前記第１の転送モードと異なる第２の転送モードとを有する通信手段と、画像データを記録又は再生する記録再生手段とを有する通信装置であって、前記通信装置はさらに、前記通信装置を制御する制御手段と、前記記録再生手段と前記通信手段との間にあり、前記第１の転送モードによって送信される画像データを前記通信手段に供給し、前記第１の転送モードによって受信した画像データを前記記録再生手段に供給する第１の内部バスと、前記制御手段と前記通信手段との間にあり、前記第２の転送モードによって送信されるデータを前記通信手段に供給し、前記第２の転送モードによって受信したデータを前記制御手段に供給する第２の内部バスとを有し、前記第１の転送モードは、アイソクロナス（Isochronous）転送モードであることを特徴とする。
【手続補正８】
【補正対象書類名】明細書
【補正対象項目名】００１９
【補正方法】変更
【補正の内容】
【００１９】
本発明に係る通信装置の一つは、第１の転送モードと、前記第１の転送モードと異なる第２の転送モードとを有する通信手段と、画像データを出力するチューナと、画像データを処理する画像処理手段とを有する通信装置であって、前記通信装置はさらに、前記通信装置を制御する制御手段と、前記チューナ及び前記画像処理手段と前記通信手段との間にあり、前記第１の転送モードによって送信される画像データを前記通信手段に供給し、前記第１の転送モードによって受信した画像データを前記画像処理手段に供給する第１の内部バスと、前記制御手段と前記通信手段との間にあり、前記第２の転送モードによって送信されるデータを前記通信手段に供給し、前記第２の転送モードによって受信したデータを前記制御手段に供給する第２の内部バスとを有し、前記第１の転送モードは、アイソクロナス（Isochronous）転送モードであることを特徴とする。
【手続補正９】
【補正対象書類名】明細書
【補正対象項目名】００２０
【補正方法】変更
【補正の内容】
【００２０】
本発明に係る通信装置の一つは、第１の転送モードと、前記第１の転送モードと異なる第２の転送モードとを有する通信手段と、画像データを出力するチューナと、画像データを記録する記録手段とを有する通信装置であって、前記通信装置はさらに、前記通信装置を制御する制御手段と、前記チューナ及び前記記録手段と前記通信手段との間にあり、前記第１の転送モードによって送信される画像データを前記通信手段に供給し、前記第１の転送モードによって受信した画像データを前記記録手段に供給する第１の内部バスと、前記制御手段と前記通信手段との間にあり、前記第２の転送モードによって送信されるデータを前記通信手段に供給し、前記第２の転送モードによって受信したデータを前記制御手段に供給する第２の内部バスとを有し、前記第１の転送モードは、アイソクロナス（Isochronous）転送モードであることを特徴とする。
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】変更
【補正の内容】
【００２４】
【発明の実施の形態】
以下、本発明に係る実施例を詳細に説明する。
【手続補正１４】
【補正対象書類名】明細書
【補正対象項目名】００５８
【補正方法】変更
【補正の内容】
【００５８】
【発明の効果】
本発明によれば、システムバスのトラヒックを軽減することができ、外部のネットワークと滞りのないデータ通信を実現することができる。
【手続補正１５】
【補正対象書類名】明細書
【補正対象項目名】００５９
【補正方法】削除
【補正の内容】